(57)【要約】【課題】スキー等の長尺物の搬送を、使用者にとっての牽引作業を容易とし、また余分な力を必要とせず、軽快にしかも安定した状態で行えるようにする。【解決手段】ハンドカートは、荷台部２とハンドル部３とによって全体がほぼＬ字状を呈するハンドカート本体１と、荷台部とハンドル部との連接部に設けられた一対の車輪４，４とからなる。そして、長尺な搬送物９の少なくとも下側部分を収納する収納袋体８を備える。この収納袋体は、長手方向において搬送物収納用の開口部８ａ寄りの部分が、ハンドル部に対して揺動可能に軸支されるとともに、この軸支部１０よりも反開口部寄りの部分とハンドカート本体との間に、搬送物を収納した収納袋体を直立状態に維持する姿勢制御手段としてのばね１２を設ける。【選択図】        図１
2004210140.tif 000002
【特許請求の範囲】
【請求項１】
荷台部とハンドル部とによって全体がほぼＬ字状を呈するハンドカート本体と、前記荷台部とハンドル部との連接部に設けられた一対の車輪とからなるハンドカートにおいて、
長尺な搬送物の少なくとも下側部分を収納する収納袋体を備え、
この収納袋体は、長手方向において搬送物収納用の開口部寄りの部分が、前記ハンドル部に対して揺動可能に軸支されるとともに、この軸支部よりも反開口部寄りの部分と前記ハンドカート本体との間に、前記搬送物を収納した収納袋体を直立状態に維持する姿勢制御手段を設けたことを特徴とするハンドカート。
【請求項２】
請求項１記載のハンドカートにおいて、
前記収納袋体および姿勢制御手段は、前記ハンドカート本体に着脱自在に構成されていることを特徴とするハンドカート。
【請求項３】
請求項１または請求項２記載のハンドカートにおいて、
前記姿勢制御手段は、ばねであることを特徴とするハンドカート。
【請求項４】
請求項３記載のハンドカートにおいて、
前記姿勢制御手段を構成するばねは、その付勢力が調整可能に構成されていることを特徴とするハンドカート。
【発明の詳細な説明】
【０００１】
【発明の属する技術分野】
本発明は、各種荷物、たとえばスキー、ゴルフクラブ等といった長尺物を搬送する際に用いるハンドカートに関する。
【０００２】
【従来の技術】
一般に、ハンドカートは、たとえば外出時に種々の荷物等を運ぶために用いられるものであって、車輪軸が１軸のもの、あるいは２軸以上のもの等、使用目的や用途に応じて種々の構造のものが知られている。さらには、折り畳み可能なもの等もある。
【０００３】
この種のハンドカートにおいて最も簡易型である１軸タイプのものは、たとえば図３に示すように、それぞれ金属製パイプ材によって構成されている荷台部２とハンドル部３とによって全体がほぼＬ字状を呈するハンドカート本体１を備え、前記荷台部２とハンドル部３との連接部に設けられた車軸５の両側には、一対の車輪４，４が設けられている（たとえば、特許文献１、特許文献２参照）
【０００４】
ここで、図３に示すハンドカートでは、ハンドル部３が上下二段に構成され、下パイプ部３ａから上パイプ部３ｂを引き抜いたり押し込んだりすることにより、把手部６の位置（高さ位置）を長手方向に調整可能な構造となっている。図中、７は二本の下パイプ部３ａの上端部を連結する補強フレーム部である。また、２ａは荷物の搭載時等において荷台部２を水平状態に保つための脚部である。
【０００５】
このような構造のハンドカートは、ハンドル部３を最小長さとし、さらに該ハンドル部３を荷台部２に重なるように折り畳むことで、手軽るに持ち運びできることから、旅行用などに用いて好適なものである。
【０００６】
【特許文献１】
特開平１１−１６５６３９号公報
【特許文献２】
登録実用新案第３０１２０９１号
【０００７】
【発明が解決しようとする課題】
上述したようなハンドカートは、比較的重い荷物であるバッグ等をハンドカートに紐、ロープ等で確実に固定して運ぶことが多いことから、重心を低く形成し、安定させて搬送できるように構成されている。これに対し、使用者のニーズとしては、たとえばスキーやゴルフクラブ等といった長尺な搬送物を搭載して搬送したいということがある。
【０００８】
このため、従来からこの種のハンドカートにおいて、図４に示すようにハンドル部３にスキー等の長尺物９の下側部分を収納する収納袋８を取付け、これに長尺物９を入れることで、安定して搬送できるように構成したものが知られている。このような収納袋８を用いると、スキー等の長尺物のハンドカートへの搭載が比較的簡単に行え、またハンドル部３に沿った状態で搭載できるから安定性の面でも優れている等の利点がある。
【０００９】
しかしながら、このような従来構造では、重量バランスの面で問題で、把手部６をもって牽引しずらいという不具合があり、使用者に対しての負担が大きいという欠点があった。
【００１０】
すなわち、１軸タイプのハンドカートでは、図４中想像線で示すように車輪４，４上にほぼ立設した状態でスキー等の長尺物９を搭載し、図４中実線で示すように把手部６を持ってハンドル部３を斜めに傾けることで、ハンドカートが牽引される。このような従来のハンドカートにあっては、スキー等の長尺物９を搭載して牽引する際には、該長尺物９がハンドル部３の傾きに伴って傾いた状態となる。
【００１１】
このような牽引状態となると、使用者にとってスキー等の長尺物９の上側部分が邪魔となって該ハンドカートの牽引がしずらくなる。さらに、この牽引状態においては、ハンドル部３に対して該スキー等の長尺物９の自重が作用するばかりでなく、スキー等の長尺物９に常に図中反時計方向への回動習性が働き、これらの押し下げ力に抗して把手部６を持ち上げる力が必要となることから、牽引するためにより大きな力を要するという問題があった。
【００１２】
本発明はこのような事情に鑑みてなされたものであり、スキー等の長尺物を搭載して搬送するにあたって、使用者にとっての牽引を容易に行えるようにし、また余分な力を必要とせず、軽快に、しかも安定した状態で牽引することができるハンドカートを得ることを目的とする。
【００１３】
【課題を解決するための手段】
このような目的に応えるために本発明の請求項１記載のハンドカートは、荷台部とハンドル部とによって全体がほぼＬ字状を呈するハンドカート本体と、前記荷台部とハンドル部との連接部に設けられた一対の車輪とからなるハンドカートであって、長尺な搬送物の少なくとも下側部分を収納する収納袋体を備え、この収納袋体は、長手方向において搬送物収納用の開口部寄りの部分が、前記ハンドル部に対して揺動可能に軸支されるとともに、この軸支部よりも反開口部寄りの部分と前記ハンドカート本体との間に、前記搬送物を収納した収納袋体を直立状態に維持する姿勢制御手段を設けたことを特徴とする。
【００１４】
本発明の請求項２記載のハンドカートは、請求項１において、前記収納袋体および姿勢制御手段は、前記ハンドカート本体に着脱自在に構成されていることを特徴とする。
【００１５】
本発明の請求項３記載のハンドカートは、請求項１または請求項２において、前記姿勢制御手段は、ばねであることを特徴とする。
本発明の請求項４記載のハンドカートは、請求項３において、前記姿勢制御手段を構成するばねは、その付勢力が調整可能に構成されていることを特徴とする。
【００１６】
本発明によれば、荷台部を搬送面に対して平行にし、ハンドル部を直立させた直立状態において、スキー等の長尺な搬送物を収納袋体に収納することで、該搬送物をハンドカートに搭載する。この状態から、ハンドル部上端の把手部を持って全体を斜めに傾斜させると、搬送物を収納した収納袋体は、ハンドル部への軸支部を中心に、該ハンドル部に対して相対的に回動し、直立状態を維持する。
【００１７】
このような状態では、搬送物の自重による荷重は常に鉛直方向に働き、また従来問題であった搬送物自体での回動習性は生じないことから、ハンドル部に作用する荷重は必要最小限となる。したがって、ハンドカートを牽引する際の力は小さくてよい。また、牽引時において、搬送物は常に直立姿勢を維持することから、従来のように上側部分が使用者にとって邪魔となるといった問題もなくなる。しかも、収納袋体には、ばね等の姿勢制御手段が付設され、その付勢力等で常に直立姿勢を維持するようになっているから、牽引時に搬送物や収納袋体が揺動したりする不具合を一掃できる。
【００１８】
上記の収納袋体、姿勢制御手段を着脱自在に構成し、ハンドカートの付属品として準備することで、長尺な搬送物を搬送する際に便利で、また通常の搬送物を搬送する際に支障となることはない。
また、ばねの付勢力を調整可能に構成し、搬送物の種類や重量、大きさ等に対処できるように構成すれば、実用面で有利である。
【００１９】
【発明の実施の形態】
図１および図２は本発明に係るハンドカートの一実施の形態を示すものであり、これらの図において、前述した図３、図４と同一または相当する部分には同一番号を付して詳細な説明は省略する。
【００２０】
図１、図２において、ハンドカートは、フレーム材からなる荷台部２とパイプ材からなるハンドル部３とによって構成され全体がほぼＬ字状を呈するハンドカート本体１を備えている。そして、荷台部２とハンドル部３との連接部に設けられた車軸５の両側には、一対の車輪４，４が設けられている。
【００２１】
本発明によれば、このようなハンドカートは、図１、図２に示すように、スキー等といった長尺な搬送物９の少なくとも下側部分を収納する収納袋体８を備えている。そして、この収納袋体８は、長手方向において搬送物収納用の開口部８ａ寄りの部分（上側部分）が、前記ハンドル部３に対して軸支部１０により揺動可能に軸支されるとともに、この軸支部１０よりも反開口部寄りの部分（下側部分）と前記ハンドカート本体１を構成するハンドル部３または荷台部２（ここではハンドル部３）との間に、搬送物９を収納した収納袋体８を直立状態に維持する姿勢制御手段としてのばね１２を設けている。
【００２２】
ここで、図中１１はハンドル部３の補強フレームを兼用する軸支部１０上に設けられた連結レバー、１１ａはその収納袋体８への連結部で、また２ａはハンドル部３の下パイプ部３ａに設けたばね受けピン、２ｂは収納袋体８側のばね受けピンである。
また、収納袋体８は、どのような材質のものであってもよく、全体がほぼ有底筒状を呈するものであって、上記のようにしてハンドル部３に取付けることがでいるものであればよい。
【００２３】
このような構造によれば、荷台部２を搬送面（水平面）に対して平行にし、ハンドル部３を直立させた直立状態において、スキー等の長尺な搬送物９を収納袋体８に収納することで、該搬送物９をハンドカートに搭載することができる。さらに、この直立状態から、ハンドル部３上端の把手部６を持って全体を斜めに傾斜させると、搬送物９を収納した収納袋体８は、ハンドル部３への軸支部１０を中心に、該ハンドル部３に対して相対的に回動し、重心位置は傾斜方向に移動するも、直立状態を維持することができる。これは振り子の原理によって明らかな通りである。
【００２４】
このような状態では、搬送物９の自重による荷重は引力によって常に鉛直方向に働き、また従来問題であった搬送物９自体での回動習性は生じないことから、ハンドル部３に作用する荷重は自重による必要最小限のものとなる。したがって、ハンドカートを牽引する際の力は小さくてよい。
【００２５】
また、牽引時において、搬送物９は常に直立姿勢を維持することから、従来のように上側部分が使用者にとって邪魔となるといった問題もなくなる。しかも、収納袋体８には、ばね１２等の姿勢制御手段が付設され、その付勢力等で常に直立姿勢を維持するようになっているから、牽引時に搬送物９や収納袋体８が揺動したりする不具合を一掃できる。
【００２６】
ここで、ばね１２の両端部を引っ掛ける位置としては、収納袋体８、つまり長尺な搬送物９が常に鉛直状態を維持できるような付勢力が得られるところであればよく、荷台部２との間に設けることも自由である。
【００２７】
また、このような姿勢制御手段を構成するばね１２の付勢力を調整可能に構成するとよい。このようにすれば、ばね１２の付勢力を、搬送物９の種類や重量、大きさ等に対処できるように構成することができ、実用面で有利となる。
【００２８】
さらに、上述した収納袋体８および姿勢制御手段としてのばね１２は、ハンドカート本体１から取り外しできるように着脱自在に構成され、ハンドカートの付属品として準備されている。
このようにすれば、長尺な搬送物９を搬送する際に取り付けるだけで所要の効果が得られることから便利であり、しかも取り外すことにより通常の搬送物を搬送する際に支障となることはないという利点がある。
【００２９】
なお、本発明は上述した実施の形態で説明した構造には限定されず、ハンドカート各部の形状、構造等を適宜変形、変更し得ることはいうまでもない。
たとえばハンドカート本体１を構成する荷台部２やハンドル部３、さらに車輪４，４の軸支状態等は種々の変形例が考えられる。また、収納袋体８の形状や構造、さらにハンドル部３への軸支構造としても、種々の変形例が考えられる。
【００３０】
また、姿勢制御手段として、ばね１２のみを使用したが、ばねとリンクレバー等との組合せ構造としたもの、ばねを保護パイプに内蔵したもの、さらにばねの付勢力を調整する機構を付加したもの等、種々の変形例が考えられる。
【００３１】
【発明の効果】
以上説明したように本発明に係るハンドカートによれば、直立状態において、スキー等の長尺な搬送物を収納袋体に収納することで、該搬送物をハンドカートに搭載した状態から、ハンドル部上端の把手部を持って全体を斜めに傾斜させることにより、搬送物を収納した収納袋体が、ハンドル部への軸支部を中心に、該ハンドル部に対して相対的に回動し、直立状態を維持するから、牽引作業が簡単に、しかも軽快で安定した状態で行える。
【００３２】
すなわち、上述した牽引状態では、搬送物の自重による荷重は常に鉛直方向に働き、また従来問題であった搬送物自体での回動習性は生じないことから、ハンドル部に作用する荷重は必要最小限となる。したがって、ハンドカートを牽引する際の力は小さくてよい。
また、牽引時において、搬送物は常に直立姿勢を維持することから、従来のように上側部分が使用者にとって邪魔となるといった問題もなくなる。
【００３３】
さらに、収納袋体には、ばね等の姿勢制御手段が付設され、その付勢力等で常に直立姿勢を維持するようになっているから、牽引時に搬送物や収納袋体が揺動したりする不具合を一掃できる。
【００３４】
また、本発明によれば、上記の収納袋体、姿勢制御手段を着脱自在に構成し、ハンドカートの付属品として準備することで、長尺な搬送物を搬送する際に便利で、また通常の搬送物を搬送する際に支障となることはない。
さらに、ばねの付勢力を調整可能に構成し、搬送物の種類や重量、大きさ等に対処できるように構成することにより、実用面での効果を発揮させることができる。
【図面の簡単な説明】
【図１】本発明に係るハンドカートの一実施の形態を示し、ハンドカートの長尺な搬送物の搭載時と牽引時における各部の姿勢状態を説明するための概略構成図である。
【図２】本発明に係るハンドカートの一実施の形態を示す概略斜視図である。
【図３】ハンドカートの従来例を説明するための概略斜視図である。
【図４】従来のハンドカートにおいての不具合を説明するための概略図である。
【符号の説明】
１…ハンドカート本体、２…荷台部、３…ハンドル部、４…車輪、５…車軸、６…把手部、８…収納袋体、９…長尺な搬送物、１０…軸支部、１１…連結レバー、１１ａ…連結部、１２…ばね（姿勢制御手段）。
【図１】
2004210140.tif 000003
【図２】
2004210140.tif 000004
【図３】
2004210140.tif 000005
【図４】
2004210140.tif 000006